(57)【要約】【課題】  チャンネル入力が完了したか否かをユーザに容易に認識させる。【解決手段】  受信装置２０は、ユーザの指示を受付ける入力部３６と、チャンネル番号を表示する旨の信号を生成するＯＳＤ２４２と、入力部３６がチャンネル番号の入力を開始する旨の指示を受付けた時からチャンネル番号の入力が完了したとみなすための条件を満たした時までである特定期間に、特定期間に固有の形態でチャンネル番号を表示する旨の信号を生成し、特定期間とは異なる期間に、特定期間に固有の形態とは異なる形態でチャンネル番号を表示する旨の信号を生成するように、ＯＳＤ２４２を制御するＣＰＵ３０と、ＯＳＤ２４２が生成した信号を出力する出力部３８とを含む。【選択図】        図１
2006253770.tif 000002
【特許請求の範囲】
【請求項１】
ユーザの指示を受付けるための受付手段と、
チャンネル番号を表示する旨の信号を生成するための生成手段と、
前記受付手段がチャンネル番号の入力を開始する旨の指示を受付けた時からチャンネル番号の入力が完了したとみなすための条件を満たした時までである特定期間に、前記特定期間に固有の表示色で前記チャンネル番号を表示する旨の信号を生成するように、前記生成手段を制御するための第１の制御手段と、
前記特定期間とは異なる期間に、前記特定期間に固有の表示色とは異なる表示色で前記チャンネル番号を表示する旨の信号を生成するように、前記生成手段を制御するための第２の制御手段と、
前記生成手段が生成した信号を出力するための出力手段とを含む、制御装置。
【請求項２】
ユーザの指示を受付けるための受付手段と、
チャンネル番号を表示する旨の信号を生成するための生成手段と、
前記受付手段がチャンネル番号の入力を開始する旨の指示を受付けた時からチャンネル番号の入力が完了したとみなすための条件を満たした時までである特定期間に、前記特定期間に固有の形態で前記チャンネル番号を表示する旨の信号を生成するように、前記生成手段を制御するための第１の制御手段と、
前記特定期間とは異なる期間に、前記特定期間に固有の形態とは異なる形態で前記チャンネル番号を表示する旨の信号を生成するように、前記生成手段を制御するための第２の制御手段と、
前記生成手段が生成した信号を出力するための出力手段とを含む、制御装置。
【請求項３】
前記形態は、視覚により認識できる形態を含む、請求項２に記載の制御装置。
【請求項４】
前記視覚により認識できる形態は、表示色の形態を含む、請求項３に記載の制御装置。
【請求項５】
請求項２に記載の制御装置を含む、受像装置。
【発明の詳細な説明】
【技術分野】
【０００１】
本発明は、制御装置および受像装置に関し、特に、受信機回路用の制御装置および受像装置に関する。
【背景技術】
【０００２】
特許文献１は、アンテナから入力されたデジタル放送信号より希望の周波数の信号を選択するチューナ部と、受信した信号を復調及び誤り訂正を行うとともに受信した信号の受信状態の検出を行う復調訂正部と、を備えたデジタル放送受信装置であって、選局動作の開始から映像のデコードが終了するまでの間に復調訂正部で検出された受信状態を視覚的に表示するデジタル放送受信装置を開示する。
【０００３】
この発明によると、選局してから絵が出るまでに、選局したチャンネルの受信状態を知ることができる。
【０００４】
特許文献２は、ＥＰＧ（Electric Program Guide）の表示を制御する情報処理装置において、放送時刻が現在時刻よりも過去の番組、放送時刻が現在時刻を含む番組、および、放送時刻が現在時刻よりも未来の番組を、それぞれ異なる色で表示するための制御を行うことを特徴とする情報処理装置を開示する。
【０００５】
この発明によると、現在放送されている番組、既に放送された番組、および、これから放送される番組を一見しただけで区別できる。
【０００６】
特許文献３は、複数の放送波を順次受信し、各放送波からトランスポートストリームを復調し、各トランスポートストリームの受信強度を測定する回路と、各トランスポートストリーム内の各チャンネル情報をメモリに記憶させるとき、トランスポートストリーム単位で測定された各チャンネルの受信強度を各チャンネル情報にリンクさせて記憶させる回路と、メモリから各チャンネル情報を読み出してチャンネル一覧を表示装置の画面上に表示させるとき、リンクさせてメモリに記憶させた各チャンネルの受信強度に応じて各チャンネル表示部を異なる形態で表示させる回路とを具備することを特徴とするデジタルテレビ受信機を開示する。
【０００７】
この発明によると、チャンネル一覧から受信状態の良いチャンネルを正確にかつ能率的に選択できる。
【特許文献１】特開２００２−３４４８４３号公報
【特許文献２】特開２００２−７７７６０号公報
【特許文献３】特開２００２−３３５４５８号公報
【発明の開示】
【発明が解決しようとする課題】
【０００８】
しかし、前述の特許文献１、特許文献２、および特許文献３に開示された発明では、将来チャンネル入力が完了したか否かをユーザが認識し難くなり得ることについて、何ら検討がなされていないという問題点がある。１台のテレビで視聴できるチャンネル数は増加の一途を辿っている。１人のユーザが視聴するチャンネルは事実上限られる。１人のユーザが多数のチャンネルから希望するチャンネルを効率よく選択できる技術が必要になる。多数のチャンネルから希望するチャンネルを効率よく選択しようとすると、チャンネル選択の手順は複雑化する。チャンネル選択が完了したか否か認識し難くなる可能性が高くなる。一方、現在１台のテレビで視聴できるチャンネル数はさほど多くない。このことが、チャンネル入力が完了したか否か認識し難くなり得るという問題の発見を困難にしている理由（特許文献１〜特許文献３でこの問題について何ら検討がなされない理由）と思われる。
【０００９】
本発明は上述の問題点を解決するためになされたものであって、その目的は、チャンネル入力が完了したか否かをユーザが容易に認識できる制御装置および受像装置を提供することにある。
【課題を解決するための手段】
【００１０】
上記目的を達成するために、本発明のある局面に従うと、制御装置は、ユーザの指示を受付けるための受付手段と、チャンネル番号を表示する旨の信号を生成するための生成手段と、受付手段がチャンネル番号の入力を開始する旨の指示を受付けた時からチャンネル番号の入力が完了したとみなすための条件を満たした時までである特定期間に、特定期間に固有の表示色でチャンネル番号を表示する旨の信号を生成するように、生成手段を制御するための第１の制御手段と、特定期間とは異なる期間に、特定期間に固有の表示色とは異なる表示色でチャンネル番号を表示する旨の信号を生成するように、生成手段を制御するための第２の制御手段と、生成手段が生成した信号を出力するための出力手段とを含む。
【００１１】
すなわち、生成手段は、チャンネル番号を表示する旨の信号を生成する。第１の制御手段は、特定期間に、特定期間に固有の表示色でチャンネル番号を表示する旨の信号を生成するように、生成手段を制御する。第２の制御手段は、特定期間とは異なる期間に、特定期間に固有の表示色とは異なる表示色でチャンネル番号を表示する旨の信号を生成するように、生成手段を制御する。出力手段は、生成手段が生成した信号を出力する。これにより、特定期間か否かに応じて、チャンネル番号を固有の表示色で表示させたり、異なる表示色で表示させたりすることが可能となる。その結果、チャンネル入力が完了したか否かをユーザが特に容易に認識できる制御装置を提供することができる。
【００１２】
本発明の他の局面に従うと、制御装置は、ユーザの指示を受付けるための受付手段と、チャンネル番号を表示する旨の信号を生成するための生成手段と、受付手段がチャンネル番号の入力を開始する旨の指示を受付けた時からチャンネル番号の入力が完了したとみなすための条件を満たした時までである特定期間に、特定期間に固有の形態でチャンネル番号を表示する旨の信号を生成するように、生成手段を制御するための第１の制御手段と、特定期間とは異なる期間に、特定期間に固有の形態とは異なる形態でチャンネル番号を表示する旨の信号を生成するように、生成手段を制御するための第２の制御手段と、生成手段が生成した信号を出力するための出力手段とを含む。
【００１３】
すなわち、生成手段は、チャンネル番号を表示する旨の信号を生成する。第１の制御手段は、特定期間に、特定期間に固有の形態でチャンネル番号を表示する旨の信号を生成するように、生成手段を制御する。第２の制御手段は、特定期間とは異なる期間に、特定期間に固有の形態とは異なる形態でチャンネル番号を表示する旨の信号を生成するように、生成手段を制御する。出力手段は、生成手段が生成した信号を出力する。これにより、特定期間か否かに応じて、チャンネル番号を固有の形態で表示させたり、異なる形態で表示させたりすることが可能となる。その結果、チャンネル入力が完了したか否かをユーザが特に容易に認識できる制御装置を提供することができる。
【００１４】
また、上述の形態は、視覚により認識できる形態を含むことが望ましい。
【００１５】
すなわち、第１の制御手段は、特定期間に、特定期間に固有の視覚により認識できる形態でチャンネル番号を表示する旨の信号を生成するように、生成手段を制御する。第２の制御手段は、特定期間とは異なる期間に、特定期間とは異なりかつ視覚により認識できる形態でチャンネル番号を表示する旨の信号を生成するように、生成手段を制御する。これにより、特定期間か否かは視覚により認識できる。特定期間か否かということが視覚により認識されるので、チャンネル入力が完了したか否かは、より容易に認識できる。その結果、チャンネル入力が完了したか否かをユーザがより容易に認識できる制御装置を提供することができる。
【００１６】
また、上述の視覚により認識できる形態は、表示色の形態を含むことが望ましい。
【００１７】
すなわち、第１の制御手段は、特定期間に、特定期間に固有の表示色でチャンネル番号を表示する旨の信号を生成するように、生成手段を制御する。第２の制御手段は、特定期間とは異なる期間に、特定期間に固有の表示色とは異なる表示色でチャンネル番号を表示する旨の信号を生成するように、生成手段を制御する。これにより、特定期間か否かは表示色により認識できる。特定期間か否かということが表示色により認識されるので、チャンネル入力が完了したか否かは、特に容易に認識できる。その結果、チャンネル入力が完了したか否かをユーザが特に容易に認識できる制御装置を提供することができる。
【００１８】
本発明の他の局面に従うと、受像装置は、上述の制御装置を含むことが望ましい。
【００１９】
すなわち、チャンネル入力が完了したか否かをユーザが容易に認識できる受像装置を提供することができる。
【発明の効果】
【００２０】
本発明に係る制御装置および受像装置は、チャンネル入力が完了したか否かをユーザが容易に認識できる。
【発明を実施するための最良の形態】
【００２１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２２】
図１は、この発明の実施の形態に係る受信装置２０の構成図である。受信装置２０は図示のない入力端子（本実施の形態の場合、この入力端子はアンテナに接続されていても、ケーブルテレビの信号を出力する端子に接続されていてもよい）から高周波信号であるＲＦ（Radio Frequency）信号５０を入力して、処理し、外部に接続されたＴＶ（Television）受像機４０に対して、受信した放送を、ＴＶ受像機４０を介して視聴可能とするためのビデオ信号６０を出力する（この場合、ＴＶ受像機４０は、後述するＭＰＥＧ（Motion Picture Experts Group）デコーダ２４が変換した映像信号を用いて、映像を表示する装置として動作する）。ここでは受信装置２０はＴＶ受像機４０とは別個に設けられたＳＴＢ（Set Top Box）として（すなわち制御装置として）示されるが、受信装置２０はＴＶ受像機４０に含まれても（受信装置２０が搭載された受像装置が提供されても）よい。また、アナログＴＶ放送信号はＮＴＳＣ方式に従うＮＴＳＣ信号としているが、この方式に限定されない。
【００２３】
図１を参照して受信装置２０は、ＤＴＶ（Digital Television）放送のため処理部、ＮＴＳＣ（National Television Standards Committee）信号のアナログＴＶ放送のための処理部、受信装置２０の各部を制御するためのＣＰＵ（Central Processing Unit）３０、データを格納するＥＥＰＲＯＭ（Electrically Erasable and Programmable Read Only Memory）３２、信号獲得判定回路３４、入力部３６、および出力部３８を備える。
【００２４】
ＤＴＶ放送のため処理部は、ＲＦ信号５０を入力して処理し、コンピュータで処理可能なＴＳ（Transport Stream）データを出力することによりデジタル電波から放送信号を抽出するＮＩＭ（Network Interface Module）２２と、ＴＳデータを入力してＭＰＥＧ方式に従いデコードして（すなわち、ＮＩＭ２２が抽出した放送信号を映像信号に変換して）、ビデオ信号６０を出力するＭＰＥＧデコーダ２４とを有する。アナログＴＶ放送のための処理部は、ＲＦ信号５０を入力してチューニング動作（本実施の形態の場合、一定の周期の信号を検出できるか否かを判断する動作）することによりアナログ電波から放送信号を抽出するアナログ方式チューナ２６とアナログ方式チューナ２６のチューニング動作により抽出された放送信号についてＮＴＳＣ方式に従いデコードしてビデオ信号６０を出力するＮＴＳＣデコーダ２８とを有する。ＭＰＥＧデコーダ２４とＮＴＳＣデコーダ２８とは、チューナであるＮＩＭ２２およびアナログ方式チューナ２６が抽出した放送信号を出力する装置である。
【００２５】
受信装置２０にはＲＦ信号５０として地上波放送によるＲＦ信号およびＣＡＴＶ（Cable Television）放送によるＲＦ信号のいずれかが入力され得る。
【００２６】
ＣＰＵ３０は、受信装置２０の各部を制御する。ＥＥＰＲＯＭ３２は、ＣＰＵ３０が受信装置２０を制御するために必要なデータを記憶する。
【００２７】
図１の信号獲得判定回路３４は、受信装置２０に入力したＲＦ信号５０において８ＶＳＢ（Vestigial Sideband Modulation）方式の変調に特有の波形スペクトルが検出されたときは、８ＶＳＢ信号が獲得できたことを示す獲得結果信号を出力し、ＱＡＭ（Quadrature Amplitude Modulation）方式の変調に特有の波形スペクトルを検出したときはＱＡＭ信号が獲得できたことを示す獲得結果情報を出力し、ＮＴＳＣ信号に独自の波形スペクトルを検出したときはＮＴＳＣ信号が獲得できたことを示す獲得結果情報を出力する。これらの各波形スペクトルを検出できないときは信号を獲得できないことを示す獲得結果情報が出力される。出力された獲得結果情報はＣＰＵ３０に与えられる。
【００２８】
入力部３６は、ユーザから、キー入力によって情報を受付ける。受付けられる情報には、アナログ放送用の形式のチャンネル番号およびデジタル放送用の形式のチャンネル番号が含まれる。受付けられた情報は、ＣＰＵ３０に与えられる。
【００２９】
出力部３８は、ＭＰＥＧデコーダ２４（ＯＳＤ２４２を含む）およびＮＴＳＣデコーダ２８のいずれかから出力された信号を外部へ出力する回路である。
【００３０】
ＭＰＥＧデコーダ２４は、ＯＳＤ（On Screen Display）２４２を含む。ＯＳＤ２４２は、ＣＰＵ３０から、ＴＶ受像機４０が表示すべき文字の内容および表示色を入力されることにより、ＴＶ受像機４０が文字を表示する旨の信号を生成する。作成された信号は、出力部３８により、ＴＶ受像機４０に出力される。ＴＶ受像機４０は、出力された信号に基づき、文字の画像を表示する。
【００３１】
本実施の形態に係る受信装置２０では、受信可能な放送局の放送信号について（受信）チャネルを個別的に自動割当するオートスキャンを実施することができる。受信装置２０は、デジタル地上波放送、デジタルＣＡＴＶ放送、アナログ地上波放送およびデジタルＣＡＴＶ放送のいずれにも受信可能なので、オートスキャンに先立って、受信装置２０が地上波放送およびＣＡＴＶ放送のうちいずれの放送信号を受信可能な態様でアンテナまたはケーブルと接続されているかを判別して、判別した接続態様に従いオートスキャンを実施する必要がある。
【００３２】
図２、図３、および図４を参照して、受信装置２０で実行されるプログラムは、チャンネル番号の設定に関し、以下のような制御を実行する。
【００３３】
ステップ１２０（以下、ステップをＳと略す。）にて、入力部３６は、ユーザからのキー入力を受付ける。キー入力によって受付けられた情報は、ＣＰＵ３０に与えられる。
【００３４】
Ｓ１２１にて、ＣＰＵ３０は、キー入力があったキーが「０」キー〜「９」キーか否かを判断する。「０」キー〜「９」キーと判断した場合には（Ｓ１２１にてＹＥＳ）、処理はＳ１２２へと移される。もしそうでないと（Ｓ１２１にてＮＯ）、処理はＳ１４４へと移される。
【００３５】
Ｓ１２２にて、ＣＰＵ３０は、キー入力があったのが「０」キーか否かを判断する。「０」キーと判断した場合（Ｓ１２２にてＹＥＳ）、処理はＳ１２４へと移される。もしそうでないと（Ｓ１２２にてＮＯ）、処理はＳ１４６へと移される。Ｓ１２４にて、ＣＰＵ３０は、ＴＶ受像機４０に、選局の時に用いる色で「０」を表示させる。Ｓ１２６にて、入力部３６は、４秒間キー入力を受付ける。
【００３６】
Ｓ１２８にて、ＣＰＵ３０は、キー入力があったキーが「１」キー〜「９」キーか否かを判断する。「１」キー〜「９」キーと判断した場合（Ｓ１２８にてＹＥＳ）、処理はＳ１３０へと移される。もしそうでないと（Ｓ１２８にてＮＯ）、処理はＳ１４４へと移される。
【００３７】
Ｓ１３０にて、ＣＰＵ３０は、選局の時に用いる色で、キー入力があったキーが表わす番号（チャンネル番号）を表示させる。Ｓ１３２にて、入力部３６は、４秒間キー入力を受付ける。
【００３８】
Ｓ１３４にて、ＣＰＵ３０は、キー入力があったキーが「０」キー〜「９」キーか否かを判断する。「０」キー〜「９」キーと判断した場合には（Ｓ１３４にてＹＥＳ）、処理はＳ１３６へと移される。もしそうでないと（Ｓ１３４にてＮＯ）、処理はＳ１３８へと移される。
【００３９】
Ｓ１３６にて、ＣＰＵ３０は、Ｓ１２０〜Ｓ１３２のステップにおいて受付けたチャンネル番号がレンジ（本実施の形態の場合、「レンジ」はチャンネル番号として予め定められた範囲のことを指す）内か否かを判断する。レンジ内と判断した場合には（Ｓ１３６にてＹＥＳ）、処理はＳ１３２へと移される。もしそうでないと（Ｓ１３６にてＮＯ）、処理はＳ１２０へと移される。
【００４０】
Ｓ１３８にて、ＣＰＵ３０は、キー入力があったキーが「−」キーか否かを判断する。「−」キーと判断した場合（Ｓ１３８にてＹＥＳ）、処理はＳ１４０へと移される。もしそうでないと（Ｓ１３８にてＮＯ）、処理はＳ１４２へと移される。Ｓ１４０にて、入力部３６およびＣＰＵ３０はサブ番号の設定を受付ける。この処理は、後述するＳ１６２〜Ｓ１８８の処理に相当する。
【００４１】
Ｓ１４１にて、ＣＰＵ３０は、選局の受付けを取消すか否かを判断する。選局の受付けを取消すと判断した場合には（Ｓ１４１にてＹＥＳ）、処理はＳ１４４へと移される。もしそうでないと（Ｓ１４１にてＮＯ）、処理はＳ１５６へと移される。
【００４２】
Ｓ１４２にて、ＣＰＵ３０は、入力部３６にキー入力がなかったかもしくはキー入力があったのが確定キーか否かを判断する。キー入力がなかったかもしくはキー入力があったのが確定キーであったと判断した場合には（Ｓ１４２にてＹＥＳ）、処理はＳ１５６へと移される。もしそうでないと（Ｓ１４２にてＮＯ）、処理はＳ１４４へと移される。
【００４３】
Ｓ１４４にて、ＣＰＵ３０は、選局を取消し、チャンネル番号の色を待受時に用いる色に変更する。Ｓ１４６にて、ＣＰＵ３０は、ＴＶ受像機４０に、選局の時に用いる色で、入力されたチャンネル番号を表示させる。Ｓ１４８にて、入力部３６は、４秒間キー入力を受付ける。
【００４４】
Ｓ１５０にて、ＣＰＵ３０は、キー入力があったキーが「１」キー〜「９」キーか否かを判断する。「１」キー〜「９」キーと判断したばあいには（Ｓ１５０にてＹＥＳ）、処理はＳ１３０へと移される。もしそうでないと（Ｓ１５０にてＮＯ）、処理はＳ１５２へと移される。
【００４５】
Ｓ１５２にて、ＣＰＵ３０は、キー入力があったのが「−」キーか否かを判断する。「−」キーと判断した場合には（Ｓ１５２にてＹＥＳ）、処理はＳ１４０へと移される。もしそうでないと（Ｓ１５２にてＮＯ）、処理はＳ１５４へと移される。
【００４６】
Ｓ１５４にて、ＣＰＵ３０は、キー入力がなかったかもしくはキー入力があったのが確定キーか否かを判断する。キー入力がなかったかもしくはキー入力があったのが確定キーと判断した場合には（Ｓ１５４にてＹＥＳ）、処理はＳ１５６へと移される。もしそうでないと（Ｓ１５４にてＮＯ）、処理はＳ１４４へと移される。Ｓ１５６にて、ＣＰＵ３０は、チャンネル番号の色を待受時に用いる色に変更する。
【００４７】
図５、図６、および図７を参照して、受信装置２０で実行されるプログラムは、サブ番号の設定処理に関し、以下のような制御構造を有する。
【００４８】
Ｓ１６２にて、ＣＰＵ３０は、ＴＶ受像機４０に、入力済みのチャンネル番号に続けて、選局の時に用いる色で「−」を表示させる。Ｓ１６４にて、入力部３６は、４秒間キー入力を受付ける。
【００４９】
Ｓ１６６にて、ＣＰＵ３０は、キー入力があったのが「０」キーか否かを判断する。「０」キーと判断した場合には（Ｓ１６６にてＹＥＳ）、処理はＳ１６８へと移される。もしそうでないと（Ｓ１６６にてＮＯ）、処理はＳ１７４へと移される。Ｓ１６８にて、ＣＰＵ３０は、ＴＶ受像機４０に、表示済みの「−」に続けて「０」を表示させる。Ｓ１７０にて、入力部３６は、４秒間キー入力を受付ける。
【００５０】
Ｓ１７２にて、ＣＰＵ３０は、キー入力があったのが「１」〜「９」キーか否かを判断する。「１」キー〜「９」キーと判断した場合には（Ｓ１７２にてＹＥＳ）、処理はＳ１７３へと移される。もしそうでないと（Ｓ１７２にてＮＯ）、処理はＳ１８８へと移される。Ｓ１７３にて、ＣＰＵ３０は、ＴＶ受像機４０に、選局の時に用いる色で、キー入力があったチャンネル番号を表示させる。
【００５１】
Ｓ１７４にて、ＣＰＵ３０は、キー入力があったのが「１」キー〜「９」キーか否かを判断する。「１」キー〜「９」キーと判断した場合には（Ｓ１７４にてＹＥＳ）、処理はＳ１７６へと移される。もしそうでないと（Ｓ１７４にてＮＯ）、処理はＳ１８８へと移される。
【００５２】
Ｓ１７６にて、ＣＰＵ３０は、ＴＶ受像機４０に、既に表示済みのチャンネル番号に続き、選局の時に用いる色で、キー入力があったチャンネル番号を表示させる。Ｓ１７８にて、入力部３６は、４秒間キー入力を受付ける。
【００５３】
Ｓ１８０にて、ＣＰＵ３０は、キー入力があったのが「０」キー〜「９」キーか否かを判断する。「０」キー〜「９」キーと判断した場合には（Ｓ１８０にてＹＥＳ）、処理はＳ１８２へと移される。もしそうでないと（Ｓ１８０にてＮＯ）、処理はＳ１８４へと移される。Ｓ１８２にて、ＣＰＵ３０は、ＴＶ受像機４０に、既に表示されたチャンネル番号に続き、選局の時に用いる色で、キー入力があったチャンネル番号を表示させる。
【００５４】
Ｓ１８４にて、ＣＰＵ３０は、入力部３６にキー入力がなかったかもしくはキー入力があったのが確定キーか否かを判断する。キー入力がなかったかキー入力があったのが確定キーと判断した場合には（Ｓ１８４にてＹＥＳ）、処理は終了する。もしそうでないと（Ｓ１８４にてＮＯ）、処理はＳ１８６へと移される。Ｓ１８６にて、ＣＰＵ３０は、選局を取消す旨の設定を実施する。選局を取消す旨の設定のために、どのような処理を実施するかは特に限定されない。本実施の形態の場合、ＣＰＵ３０は、選局を取消す旨のフラグを立てることとする。
【００５５】
Ｓ１８８にて、ＣＰＵ３０は、キー入力がなかったかもしくはキー入力が確定キーか否かを判断する。キー入力がなかったかもしくはキー入力があったのが確定キーと判断した場合には（Ｓ１８８にてＹＥＳ）、処理は終了する。もしそうでないと（Ｓ１８８にてＮＯ）、処理はＳ１８６へと移される。
【００５６】
以上のような構造およびフローチャートに基づく、受信装置２０の動作について説明する。
【００５７】
入力部３６は、ユーザからのキー入力を受付ける（Ｓ１２０）。図８は、この時点のＴＶ受像機４０の画面を表わす図である（図８における白抜き文字は、明るい色（本実施の形態の場合は黄色）でチャンネル番号が表示されていることを表わす）。キー入力が受付けられると、ＣＰＵ３０は、キー入力があったキーが「０」キー〜「９」キーか否かを判断する（Ｓ１２１）。本実施の形態の場合、放送の受信中に入力部３６が「０」キー〜「９」キーの入力を受付けると、ＣＰＵ３０は入力部３６がチャンネル番号の入力を開始する旨の指示を受付けたとみなす。本実施の形態の場合、入力部３６がチャンネル番号の入力を開始する旨の指示を受付けると、特定期間が開始する。本実施の形態における「特定期間」とは、入力部３６がチャンネル番号の入力を開始する旨の指示を受付けた時からチャンネル番号の入力が完了したとみなすための条件を満たした時までの期間のことである。本実施例における「チャンネル番号の入力が完了したとみなすための条件」は後述する。本実施の形態の場合、「チャンネル番号の入力が完了したとみなすための条件」のいずれか一つが満たされたとき、特定期間は終了する。この場合、キー入力があったのは「１」キーであったとすると（Ｓ１２１にてＹＥＳ）、ＣＰＵ３０は、キー入力があったのが「０」キーか否かを判断する（Ｓ１２２）。この場合、キー入力があったのが「０」キーではないので（Ｓ１２２にてＮＯ）、ＣＰＵ３０は、ＴＶ受像機４０に、選局のときに用いる色で、入力されたチャンネル番号を表示させる（Ｓ１４６）。このとき、ＭＰＥＧデコーダ２４のＯＳＤ２４２は、特定期間に固有の表示色でチャンネル番号を表示する旨の信号を生成する。ＣＰＵ３０は、特定期間に固有の表示色でチャンネル番号を表示する旨の信号を生成するように、ＯＳＤ２４２を制御する。出力部３８は、ＯＳＤ２４２が生成した信号を出力する。図９は、入力されたチャンネル番号「１」が表示されたときのＴＶ受像機４０の画面を表わす図である。
【００５８】
チャンネル番号が表示されると、入力部３６は、４秒間キー入力を受付ける（Ｓ１４８）。キー入力が受付けられると、ＣＰＵ３０は、キー入力があったキーが「１」キー〜「９」キーか否かを判断する（Ｓ１５０）。この場合、キー入力があったキーが「９」キーであったとすると（Ｓ１５０にてＹＥＳ）、ＣＰＵ３０は、選局のときに用いる色で、チャンネル番号を表示させる（Ｓ１３０）。チャンネル番号が表示されると、入力部３６は、４秒間キー入力を受付ける（Ｓ１３２）。キー入力が受付けられると、ＣＰＵ３０は、キー入力があったキーが「０」キー〜「９」キーか否かを判断する（Ｓ１３４）。この場合、キー入力があったキーが「−」キーであったとすると（Ｓ１３４にてＮＯ）、ＣＰＵ３０は、キー入力があったキーが「−」キーか否かを判断する（Ｓ１３８）。この場合、キー入力があったキーが「−」キーなので（Ｓ１３８にてＹＥＳ）、ＣＰＵ３０は、ＴＶ受像機４０に、入力済みのチャンネル番号に続けて、選局のときに用いる色で「−」を表示する（Ｓ１６２）。図１０は、「−」が表示されたときのＴＶ受像機４０の画面を表わす図である。
【００５９】
「−」が表示されると、入力部３６は、４秒間キー入力を受付ける（Ｓ１６４）。キー入力が受付けられると、ＣＰＵ３０は、キー入力があったのが「０」キーか否かを判断する（Ｓ１６６）。この場合、キー入力があったのが「０」キーであったとすると（Ｓ１６６にてＹＥＳ）、ＣＰＵ３０は、ＴＶ受像機４０に、表示済みの「−」に続けて「０」を表示させる（Ｓ１６８）。図１１は、「０」が表示されたときのＴＶ受像機４０の画面を表わす図である。
【００６０】
「０」が表示されると、入力部３６は、４秒間キー入力を受付ける（Ｓ１７０）。キー入力が受付けられると、ＣＰＵ３０は、キー入力があったのが「１」キー〜「９」キーか否かを判断する（Ｓ１７２）。この場合、キー入力があったのが「２」キーなので（Ｓ１７２にてＹＥＳ）、ＣＰＵ３０は、ＴＶ受像機４０に、選局のときに用いる色で、キー入力があったチャンネル番号を表示させる（Ｓ１７３）。図１２は、キー入力があったチャンネル番号「２」が表示されたときのＴＶ受像機４０の画面を表わす図である。このとき（画面に表示されたチャンネル番号の桁数が、所定の数以上になったとき）、特定期間が終了する（特定期間とは異なる期間となる）。本実施の形態における「チャンネル番号の入力が完了したとみなすための条件」の一つ（画面に表示されたチャンネル番号の桁数が、所定の数以上になること）が満たされたためである。ちなみに、本実施の形態の場合、Ｓ１７０にて入力されたキーが確定キーの場合も、特定期間が終了する。本実施の形態における「チャンネル番号の入力が完了したとみなすための条件」の一つ（確定キーが入力されたこと）が満たされたためである。Ｓ１４４の処理を実施することも、本実施の形態における「チャンネル番号の入力が完了したとみなすための条件」の一つである。
【００６１】
チャンネル番号が表示されると、ＣＰＵ３０は、選局の受付を取消すか否かを判断する（Ｓ１４１）。この場合、選局の受付を正常に終了する（「取消す」ことにより選局の受付けがなかったこととするのではない）ので（Ｓ１４１にてＮＯ）、ＣＰＵ３０は、チャンネル番号の色を待ち受け時に用いる色に変更する（Ｓ１５６）。ＭＰＥＧデコーダ２４のＯＳＤ２４２は、特定期間に固有の表示色とは異なる表示色でチャンネル番号を表示する旨の信号を生成する。ＣＰＵ３０は、特定期間に固有の表示色とは異なる表示色でチャンネル番号を表示する旨の信号を生成するように、ＯＳＤ２４２を制御する。出力部３８は、ＯＳＤ２４２が生成した信号を出力する。
【００６２】
以上のようにして、本実施の形態に係る受信装置は、チャンネル番号を設定中にＴＶ受像機に表示させるチャンネル番号の色を、それ以外の時にＴＶ受像機に表示させる色とは異なる色とする。すなわち、ダイレクト選局のためにチャンネル番号を入力する際、選局されるチャンネルが確定する前と後とで、チャンネル番号の表示色を変える。これにより、ユーザはチャンネル番号を設定中か否か（チャンネル番号の入力が完了したか否か）を容易かつ明確に認識できる。とくに本実施の形態にかかる受信装置は、デジタル放送のようにチャンネル番号の構成が複雑な放送を受信する場合に、効果が大きくなる。また、本実施の形態にかかる受信装置は、ＣＰＵが実行するプログラムをＥＥＰＲＯＭに記憶させるなどの工程により製造することができるので、量産に適している。その結果、量産に適しており、チャンネル番号を設定中か否か容易に認識できる制御装置を提供することができる。また、量産に適しており、チャンネル番号を設定中か否か容易に認識できる受像装置として、本実施の形態に係る受信装置およびＴＶ受像機（ＴＶ受像機４０が受信装置２０を内蔵した場合はそのＴＶ受像機）を提供することができる。
【００６３】
なお、受信装置２０は、ＳＴＢでなくともよい。たとえば、受信装置２０は、ＤＶＤ（Digital Versatile Disk）レコーダやハードディスクレコーダであってもよい。
【００６４】
また、受信装置２０が受付けるチャンネルの書式は特に限定されない。たとえば、メイン番号が３桁であってもよい。たとえば、サブ番号も３桁であってよい。メイン番号のみを入力する書式であってもよい。メイン番号のみを入力する場合、Ｓ１３８、Ｓ１４０、Ｓ１５２およびＳ１６０〜Ｓ１８８のステップはなくともよい。受付装置２０は、オートスキャン時に、受付けるチャンネルの書式（特にメイン番号およびサブ番号の桁数の最大値）を決定してもよい。
【００６５】
また、特定期間に固有の表示色で表示する旨の信号や特定期間に固有の表示色とは異なる表示色で表示する旨の信号の代わりに、特定期間に固有の形態で表示する旨の信号や特定期間に固有の形態とは異なる形態で表示する旨の信号が生成されてもよい。このとき、特定期間に固有の形態や特定期間に固有の形態とは異なる形態は、視覚により認識できる形態（表示色以外の例として、チャンネル番号の字体や外枠などがある）を含むことが望ましい。
【００６６】
また、ＭＰＥＧデコーダ２４のＯＳＤ２４２の代わりに、ＣＰＵ３０が、チャンネル番号を特定期間に固有の形態で出力する旨の信号、またはチャンネル番号を特定期間に固有の形態とは異なる形態で出力する旨の信号を生成してもよい。特定期間に固有の形態や特定期間に固有の形態とは異なる形態は、ビデオ信号６０の一部として表わされた音声であってもよい。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６８】
【図１】本発明の実施の形態に係る受信装置の全体構成図である。
【図２】本発明の実施の形態に係るメイン番号の設定処理の制御の手順を示す第１のフローチャートである。
【図３】本発明の実施の形態に係るメイン番号の設定処理の制御の手順を示す第２のフローチャートである。
【図４】本発明の実施の形態に係るメイン番号の設定処理の制御の手順を示す第３のフローチャートである。
【図５】本発明の実施の形態に係るサブ番号の設定処理の制御の手順を示す第１のフローチャートである。
【図６】本発明の実施の形態に係るサブ番号の設定処理の制御の手順を示す第２のフローチャートである。
【図７】本発明の実施の形態に係るサブ番号の設定処理の制御の手順を示す第３のフローチャートである。
【図８】本発明の実施の形態に係るＴＶ受像機のチャンネル番号の受付前の画面を表わす図である。
【図９】本発明の実施の形態に係るＴＶ受像機の１０の位が入力されたときの画面を表わす図である。
【図１０】本発明の実施の形態に係るＴＶ受像機の「−」が入力されたときの画面を表わす図である。
【図１１】本発明の実施の形態に係るＴＶ受像機のサブ番号における１０の位が入力されたときの画面を表わす図である。
【図１２】本発明の実施の形態に係るＴＶ受像機のサブ番号の入力が完了したときの画面を表わす図である。
【符号の説明】
【００６９】
２０  受信装置、２２  ＮＩＭ、２４  ＭＰＥＧデコーダ、２６  アナログ方式チューナ、２８  ＮＴＳＣデコーダ、３０  ＣＰＵ、３２  ＥＥＰＲＯＭ、３４  信号獲得判定回路、３６  入力部、３８  出力部、４０  ＴＶ受像機、５０  ＲＦ信号、６０  ビデオ信号、２４２  ＯＳＤ。
【図１】
2006253770.tif 000003
【図２】
2006253770.tif 000004
【図３】
2006253770.tif 000005
【図４】
2006253770.tif 000006
【図５】
2006253770.tif 000007
【図６】
2006253770.tif 000008
【図７】
2006253770.tif 000009
【図８】
2006253770.tif 000010
【図９】
2006253770.tif 000011
【図１０】
2006253770.tif 000012
【図１１】
2006253770.tif 000013
【図１２】
2006253770.tif 000014